(57)【特許請求の範囲】
【請求項１】
コンクリート打設空間内に、鉄筋組立体に支持させた型枠支持材を設け、該型枠支持材の縦部材の上端部に、該上端部と間隙を存して浮かし型枠の下端面を支承する支承材を、着脱自在に取付けた、コンクリート浮かし型枠の支持装置であって、
前記型枠支持材は、コンクリート打設空間に配筋された鉄筋組立体の縦筋に装着可能な係止部と、その係止部から横方向に延在する腕部とで構成された固定部材と、腕部に対して長手方向の任意位置に係止可能な受け部材と、この受け部材に立設され、上端に支承材が螺合された縦部材を備え、その縦部材は下端部が腕部に当接して固定されることを特徴とするコンクリート浮かし型枠の支持装置。
【請求項２】
支承材を逆円錐状のブロック体で構成し、該ブロック体の小径側の下端面の軸線位置に、縦部材の上端に設けた雄ねじに螺合する雌ねじを設けると共に、大径側の上端面には、前記ブロック体を回動させる工具の係止部を設けた、請求項１記載のコンクリート浮かし型枠の支持装置。
【発明の詳細な説明】
【技術分野】
【０００１】
本発明は、コンクリートスラブ形成空間の直上でコンクリート型枠（浮かし型枠）を支持させたり、ベランダのコンクリート段差部分を形成する際に段差部の表面にコンクリート型枠（浮かし型枠）を支持させたりする際に用いる、コンクリート浮かし型枠の支持装置に関するものである。
【背景技術】
【０００２】
所謂浮かし型枠を支持させる構造のものとして、例えば、壁外側のコンクリート型枠の内側に配した壁面鉄筋組立体の縦筋に型枠支持材の基部を片持ち状にして支持させ、該型枠支持材に壁内側コンクリート型枠（浮かし型枠）の下端を載置して前記壁外側コンクリート型枠に相対して配するようにした構造のもの（例えば、特許文献１）や、建物本体側の床面とベランダ側の床面との間に段差を形成する際に、コンクリートスラブ形成空間内に配した鉄筋組立体に支持材を立設し、該支持材に下端を支持させたコンクリート型枠を前記段差部に配するようにした構造のもの（例えば、特許文献２）がある。
【先行技術文献】
【特許文献】
【０００３】
【特許文献１】実開昭６３−８９０４９号公報
【特許文献２】実公平２−３７９５３号公報
【発明の概要】
【発明が解決しようとする課題】
【０００４】
しかしながら、前記従来例のいずれの構造のものも、浮かし型枠を取外し（脱型）たとき、浮かし型枠の下端を支持した（載置した）支持材の上端（面）がコンクリートの打設面に露出し、要するに、必要なかぶり厚を確保できない、という問題点がある。
【０００５】
本発明は、このような従来例の問題点の解決手段の一つとして提案するものである。
【課題を解決するための手段】
【０００６】
コンクリート打設空間内に、鉄筋組立体に支持させた型枠支持材を設け、該型枠支持材の縦部材の上端部に、該上端部と間隙を存して浮かし型枠の下端面を支承する支承材を、着脱自在に取付けた、コンクリート浮かし型枠の支持装置であって、型枠支持材は、コンクリート打設空間に配筋された鉄筋組立体の縦筋に装着可能な係止部とその係止部から横方向に延在する腕部とで構成された固定部材と、腕部に対して長手方向の任意位置に係止可能な受け部材と、この受け部材に立設され、上端に支承材が螺合された縦部材とを備え、その縦部材は下端部が腕部に当接して固定されることを基本的手段とし、この基本的手段の支承材を、逆円錐状のブロック体で構成し、該ブロック体の小径側の下端面の軸線位置に、縦部材の上端に設けた雄ねじに螺合する雌ねじを設けると共に、大径側の上端面には、前記ブロック体を回動させる工具の係止部を設けた構成を採用した。
【発明の効果】
【０００７】
本発明によれば、コンクリート打設後、打設面から支承材を簡単に取外すことによりかぶり厚形成空間を得られ、該形成空間にコンクリートを注入する等して必要なかぶり厚を容易に確保できる。また、固定部材を縦筋に固定した後でも、横方向に延在する腕部上で受け部材を任意の位置に移動させることにより、腕部の延在方向である横方向で浮かし型枠の位置調整が可能になり、施工精度を向上させることできると共に、浮かし型枠の自重を縦部材を介して腕部で支持する構成であるため、下方にずれ落ちることも無く、この点でも施工精度を向上させることができる。
【図面の簡単な説明】
【０００８】
【図１】コンクリート打設完了時の状態を示す第一実施例の縦断面図。
【図２】第一実施例の型枠支持材と鉄筋組立体の関係を示す平面図。
【図３】図２の断面図。
【図４】かぶり厚を確保した状態を示す第一実施例の縦断面図。
【図５】コンクリート打設完了時の状態を示す第二実施例の縦断面図。
【図６】第二実施例の型枠支持材と鉄筋組立体の関係を示す平面図。
【図７】図６の断面図。
【実施例】
【０００９】
図面は本発明に係るコンクリート浮かし型枠の支持装置の第一、第二の実施例を示し、各実施例は、図示省略した壁外側コンクリート型枠と壁内側コンクリート型枠１を相対設して、壁形成空間２ａとスラブ形成空間２ｂを連通させて成るコンクリート打設空間２を設け、該コンクリート打設空間２（壁形成空間２ａ）に鉄筋組立体３を配筋してコンクリートを打設するようにした型枠装置に本発明を適用したものである。
【００１０】
すなわち、前記鉄筋組立体３に型枠支持材４を片持ち状に支持させ、該型枠支持材４の縦部材５の上端部に設けた雄ねじ５ａに雌ねじ６ａを螺合して支承材６を型枠支持材４に着脱自在に取付け、該支承材６の上端面６´をスラブ形成空間部２ｂ（コンクリート打設空間２）のコンクリート打設面ａと同一平面上に位置するように配し、該支承材６の上端面６´に、実施例の浮かし型枠を構成する前記壁内側コンクリート型枠１（以下、浮かし型枠１と称する）の下端を載せて支承させて実施例の支持装置を構成させる。
【００１１】
前記型枠支持材４は、鉄筋組立体３の縦筋３ａに基部を取付けて、組立体３の見付け幅（寸法）に対応した適宜数をコンクリート打設空間２内に配し、各型枠支持材４に、支承材６を、前記の通り、組付けたものである。
【００１２】
なお、第一、第二の実施例は、この型枠支持材４の構成を異にするが、該相異点については、第一、第二の実施例に分けて後述する。
【００１３】
各実施例の型枠支持材４の縦部材５は、前記の通り、上端に雄ねじ５ａを備え、該雄ねじ５ａに螺合して着脱自在に取付ける前記支承材６は、雄ねじ５ａの基部に設けた鍔部片５ａ´によって縦部材５からの突出量が一定になるようにし、この結果、複数個の支承材６，…によって支持された浮かし型枠１が水平に保たれ、コンクリート打設面ａの水平基準となるようにしてある。
【００１４】
前記支承材６は、逆円錐台状の、合成樹脂製のブロック体６Ａと、該ブロック体６Ａの軸線上に配した、断面六角状の金属製の心筒６Ｂとで成り、内側に支承材６の小径側の下端面の軸線位置に存する前記雌ねじ６ａを設けた心筒６Ｂの上部を、大径側の上端面６´の中央部に凹設した、ブロック体６Ａの凹入部７に突出させて、工具の係止部としたものである。
【００１５】
そして、施工した壁外側コンクリート型枠の内側に鉄筋組立体３を配し、該鉄筋組立体３に並設した縦筋３ａの適宜のものに型枠支持材４を片持梁状に支持させて、該型枠支持材４の縦部材５を適宜位置に配し、縦部材５の雄ねじ５ａに雌ねじ６ａを着脱自在に螺合して型枠支持材４に支持させた支承材６の上端面６´上に前記浮かし型枠（壁内側コンクリート型枠）１の桟木１ｂを載置して、該桟木１ｂと合板１ａとで成る浮かし型枠１を壁外側コンクリート型枠に相対設してコンクリート打設空間２を形成させる。
【００１６】
次いで、該コンクリート打設空間２内にコンクリートをコンクリート打設面ａ位置まで打設し、養生後、脱型し、打設コンクリート表面に露出した支承材６の上端面６´に形成した凹入部７に工具を係合して、該凹入部７内の心筒６Ｂの上部の係止部を保持して、雌雄ねじ５ａ，６ａの螺合関係を利用して、支承材６を型枠支持材４（縦部材５）から取り外すと、コンクリート打設面ａ上に支承材６を取り除いた形の断面形状のかぶり厚形成空間ｈが現われ、支承材６と同一輪郭形の（逆円錐台状）の充填ブロック１６を、支承材６と同様にねじ部を雄ねじ５ａに螺合するようにして前記かぶり厚形成空間ｈに係合することにより（充填ブロック１６に代えてコンクリートを注入しても良い）必要なかぶり厚を確保したコンクリート構築体を得られるのである。
【００１７】
なお、支承材６は実施例の構造のものに限定する必要はなく、要は、型枠支持材の縦部材に取付けた状態にあるコンクリート中から自由に離脱でき、しかも、離脱させた当該個所がかぶり厚形成空間を構成足り得るものであれば良い。また、本発明に係る型枠支持材は、打設コンクリート内の捨て材とする関係から鉄筋組立体に支持させるべきで、鉄筋組立体に支持させれば、その構造、態様等は本発明の実施に当たっては自由に選択すれば良い。
【００１８】
第一、第二の各実施例の型枠支持材は、配筋された鉄筋組立体３の縦筋３ａに対して側面からの装着が可能な係止部４１ａに、横方向に延在する腕部４１ｂが設けられている固定部材４１と、この固定部材４１の腕部４１ｂに対して長手方向の任意の位置に係止される受け部材４２と、この受け部材４２に立設されて、浮かし型枠１を下面側から支持する支承材６を上端に螺合して支持する縦部材５とを備えたものである。
【００１９】
第一実施例の型枠支持材
図１乃至図４で示す第一実施例の型枠支持材４は、固定部材４１の係止部４１ａの上、下の部片４１ａ´，４１ａ´を鉄筋３ａに係止し、係止部４１ａの中央部片４１ａ´´に螺合した腕部４１ｂを操作して、その頭部４１ｂ´を縦筋３ａに押し付けると、該頭部４１ｂ´と前記上、下の部片４１ａ´，４１ａ´で縦筋３ａを挟持し、鉄筋組立体に片持梁状に支持される。
【００２０】
そして、腕部４１ｂに螺合した受け部材４２を、腕部４１ｂとの螺合関係を利用して腕部４１ｂに沿う適所に配置後、該受け部材４２に縦部材５を螺合してその上端に支承材６を螺合して取付け（又は、予め螺合して）るようにして用いる。
【００２１】
なお、縦部材５は受け部材４２に螺合するようにしてあるが、接着剤で予め接着しても良い（この場合、雄ねじは省略）。また、図示４２´は受け部材４２の位置決め材を示している。この位置決め材４２´は、受け部材４２が腕部４１ｂに対して螺合関係にない場合に、特に有効である。
【００２２】
第二実施例の型枠支持材
図５乃至図７で示す第二実施例の型枠支持材４は、受け部材４２の構成を前記第一実施例のものと異にし、同一符号で図示の通り、残余の点は第一実施例と同じとするものである。
【００２３】
第二実施例の受け部材４２は、固定部材鉄筋組立体３に片持梁状に支持させた腕部４１ｂの中間部の適所に、全体としてコ形枠状にした該受け部材４２の部片４２ａ，４２ａを係止し、中央部片（のナット材）４２ｂに螺合した縦部材５の下部に設けたねじ部５ｂを腕部４１ｂに押し付けて、該ねじ部５ｂ（縦部材５の下端）と部片４２ａとで腕部４１ｂを挟持するようにして該腕部４１ｂに固定するものである。
【００２４】
そして、支承材は６は、第一実施例と同様に、縦部材５に螺合して用いる。
【符号の説明】
【００２５】
１      浮かし型枠
２      コンクリート打設空間
３      鉄筋
４      型枠支持材
５      縦部材
６      支承材
【図１】
0005670655.tif 000002
【図２】
0005670655.tif 000003
【図３】
0005670655.tif 000004
【図４】
0005670655.tif 000005
【図５】
0005670655.tif 000006
【図６】
0005670655.tif 000007
【図７】
0005670655.tif 000008